(57)【要約】【課題】締結面部の締結面の二面幅が互いに異なる二つの締結部材の着脱作業を一つの工具で行うことができるソケットを提供する。【解決手段】ソケット１は、大ボルト締結面部の締結面の六面が締結トルク伝達可能に当接する六角内面２４を備えた筒状壁部２１及び端面２５を備えた端壁部２２を有し、六角内面２４と端面２５とにより囲繞され軸方向の他側が開口した柱状の第一空間Ａを有するソケット本体２と、六角内面２４の角部の二面に締結トルク伝達可能に当接する外面３１ｂと小ボルト締結面部の締結面の一面が締結トルク伝達可能に当接する内面３１ａとが装備された柱状の六つの側壁部３１及び底壁部３２を有し、六つの側壁部３１の内面３１ａと底壁部３２とにより囲繞され軸方向の他側が開口した柱状の第二空間Ｂを有するアダプタ３と、アダプタ３をソケット本体２の開口側へ付勢するバネ４とを備える。【選択図】図１
2020023030.tif 000002
【特許請求の範囲】
【請求項１】
六角締結面部の締結面の二面幅が互いに異なり、前記二面幅が大きい側の第一の六角締結面部を有する締結部材と、前記二面幅が小さい側の第二の六角締結面部を有する締結部材との二つの締結部材の着脱のためのソケットであって、
前記第一の六角締結面部の前記締結面の六面が締結トルク伝達可能に当接するとともに前記締結部材の軸方向に延在する六角内面を備えた筒状壁部及び前記筒状壁部の前記軸方向の一側に形成され前記六角内面と直交する横断面方向に延在する端面を備えた端壁部を有し、前記六角内面と前記端面とにより囲繞され前記軸方向の他側が開口した柱状の第一空間を有するソケット本体と、
前記六角内面の角部の二面に締結トルク伝達可能に当接する外面と前記第二の六角締結面部の前記締結面の一面が締結トルク伝達可能に当接する内面とが前記軸方向に延在して装備された柱状の六つの側壁部及び前記側壁部の前記軸方向の各一端が固設された底壁部を有し、前記六つの側壁部のそれぞれの前記内面と前記底壁部の前記軸方向の他側向きの前記横断面方向に延在する面とにより囲繞され前記軸方向の他側が開口した柱状の第二空間を有し、前記ソケット本体の内部において前記六角内面に沿って前記軸方向にスライド可能なアダプタと、
前記ソケット本体の内部において、一端が前記端面に固定され他端が前記底壁部に固定されて前記アダプタを前記ソケット本体の開口側へ付勢するバネと、を備えている
ことを特徴とする、ソケット。
【請求項２】
前記六角内面の各面には、前記第二の六角締結面部の締結面間の角部が締結トルク伝達可能に当接する溝部
が前記軸方向に延設されている
ことを特徴とする、請求項１記載のソケット。
【請求項３】
前記六つの側壁部は、いずれも横断面が二等辺三角形の三角柱状部材であって、
前記溝部は、前記六角内面の各面において、前記横断面方向の中央に配置されている
ことを特徴とする、請求項２記載のソケット。
【請求項４】
前記二つの締結部材は、互いに異なる規格で且つ同一呼び径の締結部材である
ことを特徴とする、請求項１〜３の何れか１項に記載のソケット。
【発明の詳細な説明】
【技術分野】
【０００１】
本発明は、締結面部の締結面の二面幅が互いに異なる二つの締結部材の着脱のためのソケットに関する。
【背景技術】
【０００２】
従来、大きさの異なる締結部材（例えば、ボルトやナット）の着脱を一つの工具で行うことができる組合せソケットが提案されている。例えば、特許文献１には、大きさの異なるボルトやナットの締結面部が嵌合可能な大小のソケットを備え、大きいソケットの中に小さいソケットを組み込むことによって構成される多段ソケットが開示されている。当該多段ソケットは、大きいソケットと小さいソケットとの間に大きいソケットから小さいソケットを押し出す方向に付勢するコイルスプリングを装着することで、大きさの異なるボルトやナットの着脱作業を同一の工具で行うことを可能としている。
【先行技術文献】
【特許文献】
【０００３】
【特許文献１】特許４９１７６８３号公報
【発明の概要】
【発明が解決しようとする課題】
【０００４】
ところで、同一呼び径の締結部材であっても、規格違いから締結面部の締結面の二面幅が互いに異なる締結部材がある。このような関係にある二つの締結部材は、それぞれの締結面部の締結面の二面幅の差が小さいため、従来の組合せソケットで双方の着脱作業を行うことが難しい。例えば、特許文献１に開示される多段ソケットを適用する場合には、大小のソケットの寸法差が小さいため、小さいソケットを非常に薄くしなければならないが、これにより、小さいソケットの製造が煩雑化したり、小さいソケットの強度が不足したりするおそれがある。
【０００５】
本件のソケットは、このような課題に鑑み案出されたもので、締結面部の締結面の二面幅が互いに異なる二つの締結部材の着脱作業を一つの工具で行うことができるソケットを提供することを目的の一つとする。なお、この目的に限らず、後述する「発明を実施するための形態」に示す各構成から導き出される作用効果であって、従来の技術では得られない作用効果を奏することも本件の他の目的である。
【課題を解決するための手段】
【０００６】
（１）ここで開示するソケットは、六角締結面部の締結面の二面幅が互いに異なり、前記二面幅が大きい側の第一の六角締結面部を有する締結部材と、前記二面幅が小さい側の第二の六角締結面部を有する締結部材との二つの締結部材の着脱のためのソケットであって、前記第一の六角締結面部の前記締結面の六面が締結トルク伝達可能に当接するとともに前記締結部材の軸方向に延在する六角内面を備えた筒状壁部及び前記筒状壁部の前記軸方向の一側に形成され前記六角内面と直交する横断面方向に延在する端面を備えた端壁部を有し、前記六角内面と前記端面とにより囲繞され前記軸方向の他側が開口した柱状の第一空間を有するソケット本体と、前記六角内面の角部の二面に締結トルク伝達可能に当接する外面と前記第二の六角締結面部の前記締結面の一面が締結トルク伝達可能に当接する内面とが前記軸方向に延在して装備された柱状の六つの側壁部及び前記側壁部の前記軸方向の各一端が固設された底壁部を有し、前記六つの側壁部のそれぞれの前記内面と前記底壁部の前記軸方向の他側向きの前記横断面方向に延在する面とにより囲繞され前記軸方向の他側が開口した柱状の第二空間を有し、前記ソケット本体の内部において前記六角内面に沿って前記軸方向にスライド可能なアダプタと、前記ソケット本体の内部において、一端が前記端面に固定され他端が前記底壁部に固定されて前記アダプタを前記ソケット本体の開口側へ付勢するバネと、を備える。
【０００７】
（２）前記六角内面の各面には、前記第二の六角締結面部の締結面間の角部が締結トルク伝達可能に当接する溝部が前記軸方向に延設されていることが好ましい。
【０００８】
（３）前記六つの側壁部は、いずれも横断面が二等辺三角形の三角柱状部材であることが好ましい。また、前記溝部は、前記六角内面の各面において、前記横断面方向の中央に配置されていることが好ましい。
【０００９】
（４）前記二つの締結部材は、互いに異なる規格で且つ同一呼び径の締結部材であることが好ましい。
【発明の効果】
【００１０】
開示のソケットによれば、締結面部の締結面の二面幅が互いに異なる二つの締結部材の着脱作業を同一のソケットで行うことができる。
【図面の簡単な説明】
【００１１】
【図１】実施形態に係るソケットの形状を説明するためのソケットの図であり、（ａ）が下面図、（ｂ）が縦断面図〔図１（ａ）のＸ−Ｘ矢視断面図〕、（ｃ）が横断面図〔図１（ｂ）のＶ−Ｖ矢視断面図〕である。
【図２】図１のソケットに備えられるソケット本体の形状を説明するためのソケット本体の図であり、（ａ）が下面図、（ｂ）が縦断面図〔図２（ａ）のＹ−Ｙ矢視断面図〕、（ｃ）が横断面図〔図２（ｂ）のＷ−Ｗ矢視断面図〕である。
【図３】図１のソケットに備えられるアダプタの形状を説明するためのアダプタの図であり、（ａ）がアダプタを下方から見上げた斜視図、（ｂ）が下面図、（ｃ）が縦断面図〔図３（ｂ）のＺ−Ｚ矢視断面図〕である。
【図４】図１のソケットに小ボルトが進入しているときのソケットの状態を説明するためのソケットの図であり、（ａ）が下面図、（ｂ）が縦断面図〔図４（ａ）のＸ−Ｘ矢視断面図〕である。
【図５】図１のソケットに大ボルトが進入しているときのソケットの状態を説明するためのソケットの図であり、（ａ）が下面図、（ｂ）が縦断面図〔図５（ａ）のＸ−Ｘ矢視断面図〕である。
【発明を実施するための形態】
【００１２】
図面を参照して、実施形態としてのソケットについて説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１３】
以下のソケットの説明ではソケットの軸心CLを基準として説明する。ソケットの軸心CLと締結部材の軸心とは、締結部材の締結面部がソケットに嵌った状態で一致するものとし、軸心CLの延びる方向を軸方向（縦方向）と呼ぶ。ソケットの軸方向の端部であって締結部材の締結面部が嵌る側の端部を下方とし、その逆を上方として定める。また、軸方向に直交する方向を横断面方向（横方向）と呼び、軸心CLを基準に内側及び外側を定める。なお、以下の説明では、締結部材は最も一般的な六角ボルトや六角ナットであるものとする。すなわち、締結部材の有する締結面部は六角形状の六角締結面部であるものとして説明する。
【００１４】
［１．全体構成］
ソケット１は、六角締結面部の締結面の二面幅が互いに異なる二つの締結部材の着脱を単一の工具で行えるものである。図１（ａ）及び（ｂ）に示すように、ソケット１は、ソケット本体２の内部にアダプタ３とバネ４とを収納して構成される。上記の二つの締結部材それぞれの有する六角締結面部の締結面の二面幅の差は、例えば、締結部材間の規格が異なることによって生じる。
【００１５】
以下の説明では、締結部材としてボルトを例示する。また、上記の二つの締結部材のうち二面幅の大きい側の六角締結面部を有する締結部材を大ボルト６と呼び、大ボルト６の有する六角締結面部を大ボルト締結面部６Ａ（第一の六角締結面部）、或いは単に、締結面部６Ａと呼ぶ。同様に、二面幅の小さい側の六角締結面部を有する締結部材を小ボルト７と呼び、小ボルト７の有する六角締結面部を小ボルト締結面部７Ａ（第二の六角締結面部）、或いは単に、締結面部７Ａと呼ぶ。また、大ボルト６及び小ボルト７を特に区別しない場合は、これらをまとめて「ボルト６，７」という。
【００１６】
ソケット本体２は、図２（ａ）及び（ｂ）に示すように、一定の外径を有する有天筒状形状の部材である。つまり、ソケット本体２は、軸方向に延在する筒状の筒状壁部２１と、筒状壁部２１の軸方向の一側に横方向に延在する端壁部２２とを備えて構成される。ソケット本体２は、筒状の内部空間に、図２（ｃ）に示すような、軸方向の他側が開口した柱状の第一空間Ａを有する。
【００１７】
筒状壁部２１は、内側に大ボルト締結面部６Ａの締結面の六面が締結トルク伝達可能に当接する六角内面２４を備える。六角内面２４は、軸方向に延在する六つの平面を備え、この六つの平面がそれぞれ角部を介して互いに隣接し筒状壁部２１の内部の筒状内面を形成する。六角内面２４の六つの角部は、六つの面のうち隣り合う二面によって形成される。ここで、本実施形態の六角内面２４の各平面には、図２（ａ）に示すように、後述する溝部２３が設けられているため、筒状壁部２１の筒状内面は各辺に凹みが有る略六角形状を成しているが、各平面に溝部２３を設けない構成とした場合、筒状壁部２１の筒状内面は正六角形状を成す。
【００１８】
六角内面２４の互いに対向する平面間の距離は、大ボルト締結面部６Ａの進入できるクリアランス分だけ、大ボルト締結面部６Ａの締結面の二面幅よりも僅かに大きく設定される。従って、六角内面２４の横断面は締結面部６Ａの横断面の六角形よりも僅かに大きい六角形状を成している。六角内面２４がこのように形成されることによって、筒状壁部２１の内部の筒状空間に大ボルト締結面部６Ａが進入できる。さらに、大ボルト６がソケット１に進入した際に、大ボルト締結面部６Ａの締結面の六面が六角内面２４に締結トルク伝達可能に当接する。
【００１９】
また、六角内面２４の軸方向の高さ寸法は、大ボルト締結面部６Ａの締結面の高さ寸法及びアダプタ３の高さ寸法よりも大きい。このため、大ボルト締結面部６Ａやアダプタ３は、ソケット本体２の内部において、六角内面２４に沿って軸方向にスライドできる。
【００２０】
本実施形態の六角内面２４の各面には溝部２３が軸方向に延設されている。溝部２３は小ボルト締結面部７Ａの締結面間の角部と同角度のＶ字状の溝であって、溝部２３に小ボルト締結面部７Ａの締結面間の角部が当接しつつ、小ボルト締結面部７Ａが筒状壁部２１の筒状空間に進入できる位置及び深さに延設されている。このように延設された溝部２３によって、小ボルト締結面部７Ａの締結面間の角部が締結トルクを伝達可能に溝部２３に当接する。溝部２３は、小ボルト締結面部７Ａの横断面の六角形よりも僅かに大きい六角形をアダプタ３の後述する内面３１ａとともに形成する。
【００２１】
端壁部２２は、筒状壁部２１の軸方向の一側に形成され六角内面２４と直交する横断面方向に延在する端面２５を備える。すなわち、端壁部２２は、筒状壁部２１の六角内面２４によって形成された中空空間を端面２５によって軸方向の一側から閉塞する。本実施形態の端壁部２２は、ソケット本体２の上方から筒状壁部２１の一側を閉塞する。
【００２２】
ソケット本体２の有する第一空間Ａは、六角内面２４と端面２５とにより囲繞され軸方向の他側が開口した柱状の空間である。本実施形態では端壁部２２は上方から筒状壁部２１を閉塞しているため、ソケット本体２の有する第一空間Ａは軸方向の下方側が開口した空間である。以下、第一空間Ａが開口している側を「開口側」ともいう。アダプタ３及びバネ４は開口側からソケット本体２の内に収納されるとともに、ボルト６，７は開口側からソケット１に進入する。
【００２３】
アダプタ３は、ソケット本体２の内部において、六角内面２４に沿って軸方向にスライド可能な部材である。図３（ａ）〜（ｃ）に示すように、アダプタ３は、軸方向に延在して装備された柱状の六つの側壁部３１と、側壁部３１の軸方向の各一端が固設された底壁部３２とを備える。
【００２４】
底壁部３２は厚みのある板状部材で、ソケット本体２の第一空間Ａの内部を軸方向にスライド可能な形状に形成される。本実施形態の底壁部３２は、大ボルト締結面部６Ａの横断面の六角形と略同一の六角形状に形成される。
【００２５】
六つの側壁部３１は、いずれも同一形状の柱状の部材である。各側壁部３１は、六角内面２４の角部の二面に締結トルク伝達可能に当接する二つの外面３１ｂと、小ボルト締結面部７Ａの締結面の一面が締結トルク伝達可能に当接する一つの内面３１ａとを備える。本実施形態の六つの側壁部３１は、各側面部３１の備える二つの外面３１ｂと内面３１ａとによって三角形の横断面を成すように形成された三角柱状部材である。特に、本実施形態の六つの側壁部３１は、図３（ｂ）に示すように、各側面部３１の備える二つの外面３１ｂの長さが等しい。このため、六つの側面部３１はいずれも横断面が二等辺三角形の三角柱状部材である。
【００２６】
各側壁部３１の備える二つの外面３１ｂは、二つの外面３１ｂの成す角が六角内面２４の角部の角度と同じ角度となるように配置される。各側壁部３１は、それぞれの備える二つの外面３１ｂが六角内面２４の角部の二面に当接するように配置されて、底壁部３２の片面に固設される。これにより、側壁部３１の外面３１ｂは、ソケット本体２の内部において六角内面２４の角部の二面に締結トルク伝達可能に当接する。また、アダプタ３は、ソケット本体２の内部において、六角内面２４に沿って軸方向にスライドできる。なお、図３（ａ）及び（ｂ）に示すように、本実施形態の各側壁部３１は、二つの外面３１ｂの成す角部が底壁部３２の六角形の角部と合うように底壁部３２に固設される。
【００２７】
各側壁部３１の備える内面３１ａは、各側壁部３１の備える二つの外面３１ｂの間に設けられ、ソケット本体２の内部においてソケット１の内側を向くように配置される。内面３１ａの横方向の長さは、小ボルト締結面部７Ａの締結面の横方向の長さよりも短く設定される。また、六つの側壁部３１が底壁部３２に固設された状態における対向する二つの内面３１ａ間の距離は、小ボルト締結面部７Ａの進入できるクリアランス分だけ、小ボルト締結面部７Ａの締結面の二面幅よりも僅かに大きく設定される。これにより小ボルト７がソケット１に進入した際に、側壁部３１の内面３１ａが小ボルト締結面部７Ａの締結面の一面に締結トルク伝達可能に当接する。
【００２８】
アダプタ３は、図３（ｂ）に示すように、六つの側壁部３１のそれぞれの内面３１ａと底壁部３２の軸方向の他側を向く横断面方向に延在する面（側壁部３１が固設される方の面）とにより囲繞され軸方向の他側が開口した柱状の第二空間Ｂを有する。小ボルト７の着脱の際には、この第二空間Ｂに小ボルト７を進入させる。なお、上述のように構成されたアダプタ３よって、小ボルト７がソケット１に進入したときの小ボルト締結面部７Ａの締結面間の角部の位置は、図４（ａ）及び図５（ａ）に示すように、大ボルト６がソケット１に進入したときの大ボルト締結面部６Ａの締結面間の角部の位置と相違する。
【００２９】
図３（ａ）〜（ｃ）に示すように、本実施形態の六つの側壁部３１は、底壁部３２に固設されたとき互いに隙間Ｓを介して配置される。また、ソケット本体２の溝部２３は、側壁部３１の六つの隙間Ｓと対応する位置のそれぞれに軸方向に延設される。特に、本実施形態の側壁部３１はいずれも横断面が二等辺三角形の三角柱状部材であるため、溝部２３は、六角内面２４の各面において横断面方向の中央に配置されている。アダプタ３の側壁部３１の内面３１ａは、図１（ｃ）に示すように、ソケット本体２の内部において、小ボルト締結面部７Ａの横断面の六角形よりも僅かに大きい六角形を溝部２３とともに形成する。これにより、小ボルト７がソケット１に進入した際に、内面３１ａが小ボルト締結面部７Ａの締結面の一面に締結トルク伝達可能に当接するとともに、溝部２３が小ボルト締結面部７Ａの締結面間の角部に締結トルク伝達可能に当接する。
【００３０】
バネ４は、図１（ｂ）に示すように、ソケット本体２の内部において、ソケット本体２とアダプタ３との間に装着される弾性部材である。バネ４は、一端がソケット本体２の端面２５に固定され、他端がアダプタ３の底壁部３２の面であって側壁部３１が固設されない方の面に固定される。これにより、バネ４は、アダプタ３をソケット本体２の開口側へ付勢するとともに、アダプタ３がソケット本体２から脱落することを阻止する。
【００３１】
本実施形態のバネ４の自然長は、バネ４の自然長とアダプタ３の軸方向の高さとの合計が、ソケット本体２の六角内面２４の軸方向の高さ寸法と略同一になるように設定される。言い換えれば、本実施形態のバネ４は、バネ４に負荷がかかっていなときに、図１（ｂ）に示すように、ソケット本体２とアダプタ３とが下方向に位置を揃えた状態で静止するような長さに設定される。
【００３２】
［２．作用］
次に、ソケット１によりボルト６，７を着脱する動作について説明する。図４（ａ）及び（ｂ）は、小ボルト７がソケット１に進入している状態を示す図である。一方、図５（ａ）及び（ｂ）は、大ボルト６がソケット１に進入している状態を示す図である。
【００３３】
小ボルト７を着脱させる場合には、図４（ａ）に示すように、小ボルト締結面部７Ａの締結面間の角部にソケット本体２の溝部２３が接するようにソケット本体２を配置する。この状態でソケット１を小ボルト７に押し付けると、図４（ｂ）に示すように、小ボルト７は第二空間Ｂに進入する。このとき、各側壁部３１の外面３１ｂが六角内面２４の角部の二面に締結トルク伝達可能に当接するとともに、各側壁部３１の内面３１ａが小ボルト締結面部７Ａの締結面の一面に締結トルク伝達可能に当接する。また、ソケット本体２の溝部２３が小ボルト締結面部７Ａの締結面間の角部に締結トルク伝達可能に当接する。
【００３４】
この状態で、ソケット本体２を軸方向に回動させると、ソケット本体２の六角内面２４に当接するアダプタ３に締結トルクが伝達され、アダプタ３の側壁部３１の内面３１ａに当接する小ボルト締結面部７Ａに締結トルクが伝達される。同時に、ソケット本体２の溝部２３に当接する小ボルト締結面部７Ａの締結面間の角部にもソケット本体２から直接締結トルクが伝達される。小ボルト７はこのようにして着脱される。
【００３５】
大ボルト６を着脱させる場合には、図５（ａ）に示すように、ソケット本体２の六角内面２４の角部が大ボルト締結面部６Ａの締結面間の角部に接するようにソケット本体２を配置する。この状態で、バネ４の付勢力よりも大きい力で、ソケット１を大ボルト６に押し付けることで、大ボルト６にアダプタ３が押され、アダプタ３が上方に移動する。これにより、第一空間Ａがソケット本体２の開口側に現出し、図５（ｂ）に示すように、大ボルト６はこの第一空間Ａに進入する。すなわち、六角内面２４が大ボルト締結面部６Ａの締結面の六面に締結トルク伝達可能に当接する。この状態で、ソケット本体２を軸方向に回動させることによって、大ボルト締結面部６Ａに締結トルクが伝達され、大ボルト６は着脱される。
【００３６】
大ボルト６の着脱作業が完了し、ソケット１から大ボルト６が取り外されると、アダプタ３はバネ４の付勢力によって、ソケット本体２の開口側へ付勢させられる。その後、アダプタ３は、図１（ａ）に示すように、ソケット本体２と下方向に位置を揃えた状態で静止する。
【００３７】
［３．効果］
（１）上述したソケット１は、ソケット本体２と、ソケット本体２の内部において軸方向にスライド可能なアダプタ３と、ソケット本体２とアダプタ３との間にソケット本体２からアダプタ３を押し出す方向に付勢させて装着したバネ４とを備える。これにより、締結面部６Ａ，７Ａの締結面の二面幅が互いに異なる二つのボルト６，７の着脱作業を同一のソケット１で行うことができる。
【００３８】
特に、上述したソケット１では、アダプタ３の有する六つの側壁部３１が六角内面２４の角部の二面に締結トルク伝達可能に当接する外面３１ｂと小ボルト締結面部７Ａの締結面の一面が締結トルク伝達可能に当接する内面３１ａとを備える。このように構成されたアダプタ３によって、ボルト６，７のそれぞれがソケット１に進入したときにおける、大ボルト締結面部６Ａの締結面間の角部の位置と小ボルト締結面部７Ａの締結面間の角部の位置とを相違させることができる。このため、双方の角の位置が同位置である場合に比べて、アダプタ３の側壁部３１の肉厚を確保することができる。従って、アダプタ３の強度を確保することができる。
【００３９】
（２）上述したソケット１では、六角内面２４の各面に、小ボルト締結面部７Ａの締結面間の角部が締結トルク伝達可能に当接する溝部２３が延設されている。係る構成によって、小ボルト７の着脱作業の際、小ボルト７には、ソケット本体２及びアダプタ３の双方から力が伝達される。すなわち、ソケット１が回動した際に、アダプタ３を介して側壁部３１の内面３１ａに当接する小ボルト締結面部７Ａに締結トルクが伝達されるとともに、ソケット本体２に設けられた溝部２３に当接する小ボルト締結面部７Ａの締結面間の角部にもソケット本体２から直接締結トルクが伝達される。従って、ソケット１からの力をより確実に小ボルト７に伝達することができる。
【００４０】
更に、アダプタ３の側壁部３１が互いに隙間Ｓを介して配置されるとともに、溝部２３が当該隙間Ｓと対応する位置に延設される。係る構成によって、締結面部６Ａ，７Ａの締結面の二面幅の大きさが僅かに異なる二つのボルト６，７に対しても同一のソケット１で着脱作業を行うことができる。
【００４１】
（３）また、上述したソケット１では、アダプタ３の側壁部３１がいずれも横断面が二等辺三角形の三角柱状部材であるとともに、溝部２３が六角内面２４の各面において横断面方向の中央に配置されている。係る構成によって、軸方向に直行する方向の側壁部３１の厚さを最大にすることができる。従って、アダプタ３の強度をより確保することができる。
【００４２】
（４）特に、本実施形態における二つの締結部材は、互いに異なる規格で且つ同一呼び径の締結部材である。このような関係にある二つの締結部材の着脱作業のためのソケットとして、本実施形態のソケット１を適用することによって、二つの締結部材の着脱を容易にすることができる。
【００４３】
［４．その他］
上述したソケット１は一例であって、上述したものに限られない。本実施形態において、アダプタ２の側壁部３１はいずれも横断面が二等辺三角形の三角柱状部材であるものとして説明したが、側壁部３１の横断面は二等辺三角形に限らず、二つの外面３１ｂの長さが異なる構成であってもよい。また、側壁部３１は六角内面２４の角部の二面に締結トルク伝達可能に当接する外面３１ｂと小ボルト締結面部７Ａの締結面の一面が締結トルク伝達可能に当接する内面３１ａとを備えていればよく、側壁部３１の横断面は三角形状以外の形状であってもよい。
【００４４】
本実施形態において、六角内面２４の各面には溝部２３が軸方向に延設される構成としたが、六角内面２４の大きさが小ボルト締結面部７Ａの横断面の六角形以上の大きさであれば、溝部２３を省略した構成とすることも可能である。また、本実施形態において溝部２３は六角内面２３と軸方向の長さが等しい構成としたが、溝部２３の軸方向に延設される長さはこれより短くてもよい。
【００４５】
また、本実施形態において、底壁部３２は大ボルト締結面部６Ａの横断面の六角形と略同一の六角形状に形成されるものとして説明したが、底壁部３２の形状はこれに限らない。例えば、本実施形態の底壁部３２の六角形状の各辺に突起部を設けて、溝部２３にも接する形状としてもよい。
【００４６】
また、本実施形態において、バネ４は、バネ４に負荷がかかっていないときに、ソケット本体２とアダプタ３とが下方向に位置を揃えた状態で静止する長さに設定されるものとして説明したが、アダプタ３がソケット本体２の開口よりも低い位置に配置されるような構成としてもよい。また、ソケット本体２とアダプタ３との間に可撓性を有する部材をバネ４と共に用いて、バネ４が所定量以上伸びないように制限してもよい。
【符号の説明】
【００４７】
１  ソケット
２  ソケット本体
３  アダプタ
４  バネ
６  大ボルト（締結部材）
６Ａ  大ボルト締結面部（第一の六角締結面部）
７  小ボルト（締結部材）
７Ａ  小ボルト締結面部（第二の六角締結面部）
２１  筒状壁部
２２  端壁部
２３  溝部
２４  六角内面
２５  端面
３１  側壁部
３１ａ  内面
３１ｂ  外面
３２  底壁部
Ａ  第一空間
Ｂ  第二空間
Ｓ  隙間
【図１】
2020023030.tif 000003
【図２】
2020023030.tif 000004
【図３】
2020023030.tif 000005
【図４】
2020023030.tif 000006
【図５】
2020023030.tif 000007